(57)【特許請求の範囲】
【請求項１】
前面を扉、側面を扉もしくは着脱可能な側板とした電気電子機器収納用箱において、前面の扉にハンドルと連動して回転する留め金を設け、該留め金に電気電子機器収納用箱本体に設けた係合孔に係合する係合部と、側面の扉もしくは側板に設けた係合孔に係合する係合部とを設けたことを特徴とする電気電子機器収納用箱。
【請求項２】
電気電子機器収納用箱内部に側面の扉もしくは側板を電気電子機器収納用箱本体に固定する部材を設けたことを特徴とする請求項１に記載の電気電子機器収納用箱。
【発明の詳細な説明】
【０００１】
【発明の属する技術分野】
本発明は、内部に収納した機器の点検用の扉を備えた通信機器等の電気電子機器を収納する電気電子機器収納用箱に関するものである。
【０００２】
【従来の技術】
通信機器等の電気電子機器を収納する電気電子機器収納用箱においては、前面に内部の機器の取り付け、メンテナンスのための扉が設けられ、側面にも監視用等の扉が設けられることが多い。このような扉には、扉の開閉あるいは固定用のハンドルを設け、不用意な扉の開放を防ぐために鎖錠装置を付設するのが一般的であった。このようなハンドル等を各扉に個別に設けた場合には、多くの部品を要することから電気電子機器収納用箱のコストがかさむという問題があり、また、扉面に監視用の窓を設ける場合には、ハンドル等によりスペースが取られて窓の寸法が制限されるという問題があった。さらに、鎖錠、開錠する場合には各ハンドルの鎖錠装置を個別に操作しなければならず、作業が煩雑となる問題もあった。
【０００３】
【発明が解決しようとする課題】
本発明は、上記の問題点を解決し、単一のハンドルにより前面及び側面の扉を固定、開放することができる電気電子機器収納用箱を提供するためになされたものである。
【０００４】
【課題を解決するための手段】
上記の問題を解決するためになされた請求項１の発明の電気電子機器収納用箱は、前面を扉、側面を扉もしくは着脱可能な側板とした電気電子機器収納用箱において、前面の扉にハンドルと連動して回転する留め金を設け、該留め金に電気電子機器収納用箱本体に設けた係合孔に係合する係合部と、側面の扉もしくは側板に設けた係合孔に係合する係合部とを設けたことを特徴とするものである。
【０００５】
【０００６】
なお請求項１の発明において、電気電子機器収納用箱内部に側面の扉もしくは側板を電気電子機器収納用箱本体に固定する部材を設けたものとすることができる。
【０００７】
【発明の実施の形態】
次に、本発明の実施の形態について図を参照しながら具体的に説明する。
図１は本発明の電気電子機器収納用箱の外観を示すもので、電気電子機器収納用箱本体１の前面に前面扉２、右側面に側面扉３がそれぞれ設けてある。図２は前面扉及び側面扉を取り外した状態を示すもので、電気電子機器収納用箱本体１の前面及び側面にそれぞれ前面枠部４及び側面枠部５が設けてあり、前面枠部４の左側には前面扉２を支承する蝶番本体６、６が、側面枠部５の後側には側面扉３を支承する蝶番本体７、７が取り付けてある。また、前面枠部４の右側壁面８には係合孔９が設けてある。蝶番としては、従来から電気電子機器収納用箱に使用されているものを使用することができ、図示していないが、電気電子機器収納用箱本体１には必要に応じて電気電子機器取り付け用の枠及び取り付け板等、入線用孔、通風孔等が設けてある。
【０００８】
図３及び図４は本発明の第一の実施の形態を示すものであって、前面扉２及び側面扉３が電気電子機器収納用箱本体１に対して固定された状態を示している。前面扉２及び側面扉３は、前面扉２の左側及び側面扉３の後側にそれぞれ取り付けた蝶番が蝶番ピンによって蝶番本体６、６及び蝶番本体７、７に結合され、電気電子機器収納用箱本体１に対して開閉自在に保持されている。前面扉２及び側面扉３はいずれも周辺を折り曲げて浅い箱状に形成してあり、前面扉２の右側部にはハンドル１０が取り付けてある。また、側面扉３の前側端部の折り曲げ部分にはクランク状に折り返して延長した折り返し部１１を形成し、該折り返し部１１には係合孔１２が設けてある。ハンドル１０は施錠装置を組み込んだものとすることが好ましく、前面扉２にはハンドル１０を操作することにより回転させられる留め金１３が取り付けてあり、該留め金１３には両端にそれぞれ係合部１４、１５が設けてある。
【０００９】
この構成のものにおいて、ハンドル１０を操作して図４に一点鎖線で示すように留め金１３の係合部１５、１４が上下に位置する状態とし、側面扉３、前面扉２を順次閉じたうえハンドル１０を操作すると、係合部１４及び１５はそれぞれ係合孔９及び１２に係合することになる。係合部１４と係合孔９とが係合することにより前面扉２は前面枠部４の右側壁面８に固定されることとなり、また、係合部１５と係合孔１２とが係合することにより側面扉３は前面扉２に固定されることとなる。これにより、ハンドル１０を操作するのみで前面扉２及び側面扉３の開放、固定が同時に行なわれることになる。
【００１０】
図５及び６は本発明の第一の参考例を示すものであって、前面扉２及び側面扉３が電気電子機器収納用箱本体１に対して開閉自在に保持されていること、前面扉２及び側面扉３が浅い箱状に形成してあること、前面扉２の右側部にハンドル１０が取り付けてあること、ハンドル１０に連動する留め金１３が取り付けてあること、側面扉３に折り返し部１１を形成してあることは、第一の実施の形態のものと同様である。この第一の参考例では、側面扉３の折り返し部１１に係合孔１２が設けてなく、前面扉２の右側端部の折り曲げ部を更に折り曲げて折り曲げ部１６が形成してある。また、留め金１３には一方に係合部１４が設けてある。
【００１１】
この構成のものにおいて、ハンドル１０を操作して図５に一点鎖線で示すように留め金１３の係合部１４が下に位置する状態とし、側面扉３、前面扉２を順次閉じたうえハンドル１０を操作すると、係合部１４は係合孔９に係合することになり、係合部１４と係合孔９とが係合することによって前面扉２は前面枠部４の右側壁面８に固定されることとなる。このとき、前面扉２は側面扉３の折り返し部１１に被さることになり、側面扉３の開放が抑止されることとなるが、前面扉２の折り曲げ部１６の先端が折り返し部１１に当接することにより側面扉３が遊び少なく固定される。これにより、ハンドル１０を操作するのみで前面扉２及び側面扉３の開放、固定が同時に行なわれることになる。ここにおいて、側面扉３は前面扉２が被さることにより開放が抑止されるものであり、前面扉２及び側面扉３の寸法形状を適当に選べば折り曲げ部１６を設けなくても側面扉３にを遊びなく固定するようにすることが可能である。しかし、箱内部への異物の侵入を防ぐ等の観点からは折り曲げ部１６を設けることが好ましい。
【００１２】
図７は本発明の第二の参考例を示すものであって、第一の参考例のものに対して側面扉３を電気電子機器収納用箱本体１に固定する引っ掛け金具１７を付加したものである。引っ掛け金具１７は側面扉３の折り返し部１１に設けた係合孔１８に係合自在としたもので、電気電子機器収納用箱本体１の前面に枢着してある。１９は正面扉の折り曲げ部１６が引っ掛け金具１７と干渉するのを避けるために折り曲げ部１６に設けた切り欠き部である。
【００１３】
この第二の参考例では、ハンドル１０を操作するのみで前面扉２及び側面扉３の開放、固定が同時に行なわれることは第一の参考例のものと同様であるが、先ず側面扉３を閉じて引っ掛け金具１７を係合孔１８に係合させておくことにより、正面扉２を開けたときに側面扉３が自然に開放されることを抑止することができる。すなわち、引っ掛け金具１７を係合孔１８に係合させておくか否かにより、使い勝手の上で正面扉２を開けたときに側面扉３が自然に開放されるか否かを選択できることとなる。また、引っ掛け金具１７は正面扉２を閉じた状態では正面扉２により覆われるので、正面扉２が閉じられた状態で選択状態が変更されることはない。
【００１４】
上記側面扉の自然開放を抑止する引っ掛け金具１７は第一の実施の形態のものにも取り付け可能であり、引っ掛け金具１７はマグネットで代替することも可能である。側面扉が意図せず開放されると横に置かれたものと衝突するというような不具合を生ずる場合があり、引っ掛け金具１７それを回避するために使用するものであるが、この引っ掛け金具１７の操作は面倒で忘れる危険性もある。マグネットを使用した場合には正面扉１の開放時の側面扉３の自然開放が確実に抑止され、容易に引外すことができ、さらに、取り付けが容易であるという利点がある。
【００１５】
なお、前記の実施の形態及び参考例では側面を扉としていたが、側面を側板として側板の後側を電気電子機器収納用箱本体に引っ掛け、側板の前側を前面扉に設けた留め金を係合させて固定するものとすることができ、あるいは、前面扉を被せることにより側板の開放を抑止するものとすることができる。さらに、側面を側板とし、前面、後面をともに扉として側面に引っ掛けた側板の前側と後側をそれぞれ前面扉と後面扉に設けた留め金を係合させて固定するものとすることができ、あるいは前面扉と後面扉を被せることにより側板の開放を抑止するものとすることができる。
【００１６】
【発明の効果】
以上説明した本発明によれば、単一のハンドルを操作するのみで前面扉及び側面扉の開放、固定が同時に行なわれるものであり、要する部品も少ないという利点がある。また、側面扉には固定用のハンドル等を取り付ける必要がないことから点検窓等を設ける場合にも窓の寸法が制限されることがないという利点がある。
【図面の簡単な説明】
【図１】本発明の外観を示す斜視図である。
【図２】前面扉及び側面扉を外した状態を示す斜視図である。
【図３】本発明の第一の実施の形態を示す要部の横断平面図である。
【図４】本発明の第一の実施の形態を示す要部の縦断正面図である。
【図５】本発明の第一の参考例を示す要部の横断平面図である。
【図６】本発明の第一の参考例を示す要部の縦断正面図である。
【図７】本発明の第二の参考例を示す要部の縦断正面図である。
【符号の説明】
１  電気電子機器収納用箱本体
２  前面扉
３  側面扉
４  前面枠部
５  側面枠部
６、７  蝶番本体
８  右側壁面
９  係合孔
１０  ハンドル
１１  折り返し部
１２  係合孔
１３  留め金
１４、１５  係合部
１６  折り曲げ部
１７  引っ掛け金具
１８  係合孔
１９  切り欠き部
【図１】
0003966497.tif 000002
【図２】
0003966497.tif 000003
【図３】
0003966497.tif 000004
【図４】
0003966497.tif 000005
【図５】
0003966497.tif 000006
【図６】
0003966497.tif 000007
【図７】
0003966497.tif 000008